(57)【特許請求の範囲】
【請求項１】
携帯型の情報処理端末を用いて拡張現実を提供する拡張現実提供装置であって、
前記情報処理端末は、人体の被測定部位と向かい合うことにより健康に関する健康データを計測可能なセンサ部と、前記センサ部の計測結果に関する情報を表示可能な表示部と、を有し、
拡張現実が提供される被提供者の頭部に装着可能な装着部と、
前記装着部に設けられ、前記センサ部が前記被提供者の頭部と向かい合う状態で前記情報処理端末を収容可能な収容部と、
前記被提供者に視認可能な位置に配置され、前記表示部から出射された画像光及び現実空間からの光により、前記画像光に対応する画像と前記現実空間とを重ね合わせる重畳手段と、
を具備する拡張現実提供装置。
【請求項２】
前記収容部は、前記情報処理端末の前記センサ部が前記被提供者の頭部のこめかみ部と向かい合う状態で当該情報処理端末を収容する、
請求項１に記載の拡張現実提供装置。
【請求項３】
前記重畳手段は、前記表示部から出射された画像光を反射させると共に現実空間からの光を透過させることで、前記画像光に対応する画像と前記現実空間とを重ね合わせるものであり、
前記情報処理端末の前記表示部から出射された画像光を前記重畳手段へと反射させる反射部をさらに具備する、
請求項１または請求項２に記載の拡張現実提供装置。
【請求項４】
前記収容部及び前記反射部は、前記被提供者の眼よりも後方に配置され、
前記重畳手段は、前記被提供者の眼よりも前方に配置される、
請求項３に記載の拡張現実提供装置。
【請求項５】
前後方向における前記収容部及び前記反射部と前記重畳手段との間で、前記被提供者の眼が側方に露出される、
請求項３または請求項４に記載の拡張現実提供装置。
【発明の詳細な説明】
【技術分野】
【０００１】
本発明は、携帯型の情報処理端末を用いて拡張現実を提供する拡張現実提供装置の技術に関する。
【背景技術】
【０００２】
従来、携帯型の情報処理端末を用いて拡張現実を提供する拡張現実提供装置の技術が公知となっている。例えば、特許文献１に記載の如くである。
【０００３】
特許文献１に記載される拡張現実提供装置は、スマートフォン（携帯型の情報処理端末）を用いて、当該スマートフォンから出射される画像光と現実空間からの光とを重ね合わせることにより、使用者に拡張現実を提供することができる。
【０００４】
昨今、健康志向の高まりにより、自分自身の健康に関する健康データへの関心が高まっている。そこで、自分自身の健康に関する健康データを、拡張現実として提供することができる技術が望まれている。
【先行技術文献】
【特許文献】
【０００５】
【特許文献１】実登３２０２４２４号公報
【発明の概要】
【発明が解決しようとする課題】
【０００６】
本発明は、以上の如き状況を鑑みてなされたものであり、その解決しようとする課題は、健康に関する健康データを拡張現実として提供することができる拡張現実提供装置を提供するものである。
【課題を解決するための手段】
【０００７】
本発明の解決しようとする課題は以上の如くであり、次にこの課題を解決するための手段を説明する。
【０００８】
即ち、請求項１においては、携帯型の情報処理端末を用いて拡張現実を提供する拡張現実提供装置であって、前記情報処理端末は、人体の被測定部位と向かい合うことにより健康に関する健康データを計測可能なセンサ部と、前記センサ部の計測結果に関する情報を表示可能な表示部と、を有し、拡張現実が提供される被提供者の頭部に装着可能な装着部と、前記装着部に設けられ、前記センサ部が前記被提供者の頭部と向かい合う状態で前記情報処理端末を収容可能な収容部と、前記被提供者に視認可能な位置に配置され、前記表示部から出射された画像光及び現実空間からの光により、前記画像光に対応する画像と前記現実空間とを重ね合わせる重畳手段と、を具備するものである。
【０００９】
請求項２においては、前記収容部は、前記情報処理端末の前記センサ部が前記被提供者の頭部のこめかみ部と向かい合う状態で当該情報処理端末を収容するものである。
【００１０】
請求項３においては、前記重畳手段は、前記表示部から出射された画像光を反射させると共に現実空間からの光を透過させることで、前記画像光に対応する画像と前記現実空間とを重ね合わせるものであり、前記情報処理端末の前記表示部から出射された画像光を前記重畳手段へと反射させる反射部をさらに具備するものである。
【００１１】
請求項４においては、前記収容部及び前記反射部は、前記被提供者の眼よりも後方に配置され、前記重畳手段は、前記被提供者の眼よりも前方に配置されるものである。
【００１２】
請求項５においては、前後方向における前記収容部及び前記反射部と前記重畳手段との間で、前記被提供者の眼が側方に露出されるものである。
【発明の効果】
【００１３】
本発明の効果として、以下に示すような効果を奏する。
【００１４】
請求項１においては、健康に関する健康データを拡張現実として提供することができる。
【００１５】
請求項２においては、拡張現実提供装置の小型化を図ることができる。
【００１６】
請求項３においては、拡張現実提供装置の設計自由度を向上させることができる。
【００１７】
請求項４においては、被提供者の視界が遮られるのを抑制することができる。
【００１８】
請求項５においては、被提供者が通常見る風景に違和感なく健康データを重ねることができる。
【図面の簡単な説明】
【００１９】
【図１】本発明の一実施形態に係る拡張現実提供装置の使用状態を示した正面、平面、右側面を示した斜視図。
【図２】拡張現実提供装置の使用状態を示した右側面図。
【図３】（ａ）情報処理端末の裏面を示した図。（ｂ）同じく、表面を示した図。
【図４】（ａ）拡張現実提供装置の正面、底面、右側面を示した斜視図。（ｂ）同じく、正面、底面、左側面を示した斜視図。
【図５】（ａ）拡張現実提供装置の平面図。（ｂ）同じく、底面図。
【図６】（ａ）拡張現実提供装置の正面図。（ｂ）同じく、右側面図。
【図７】情報処理端末、反射部、重畳手段及び被提供者の位置関係、及び、画像光及び外光が進む様子を示した平面模式図。
【発明を実施するための形態】
【００２０】
以下の説明においては、図中に示した矢印に従って、上下方向、左右方向及び前後方向をそれぞれ定義する。
【００２１】
以下では、本発明の一実施形態に係る拡張現実提供装置１について説明する。
【００２２】
図１及び図２に示す拡張現実提供装置１は、既存の携帯型の情報処理端末を用いて、現実空間に仮想的な情報を重ね合わせた拡張現実を提供するものである。具体的には、拡張現実提供装置１は、スマートウォッチ９０を用いて、拡張現実が提供される者（被提供者）の現在の健康データを、当該被提供者が見ている現実空間に重ね合わせるように表示するものである。本実施形態においては、上述の如く情報処理端末として、スマートウォッチ９０（より詳細には、腕時計型のスマートウォッチ９０のうちベルト以外の本体部分）が用いられる。まず以下では、拡張現実提供装置１の構成について詳細に説明するにあたって、スマートウォッチ９０の構成について簡単に説明する。
【００２３】
図３に示すスマートウォッチ９０は、時計機能の他、演算処理機能や通信機能等の多種の機能を有する電子機器である。スマートウォッチ９０は、厚さ方向視において略矩形状に形成される。スマートウォッチ９０は、主として図示せぬＲＡＭやＲＯＭ等の記憶部やＣＰＵ等の演算処理部、センサ部９１及び表示部９２を具備する。
【００２４】
図３（ａ）に示すセンサ部９１は、健康に関する健康データ（本実施形態においては、脈拍）を計測する部分である。センサ部９１は、光学式のセンサにより構成される。センサ部９１は、向かい合う人体の被測定部位に対して所定の波長の計測光を照射し、戻ってきた光の強度に基づいて脈拍を計測することができる。センサ部９１は、スマートウォッチ９０の厚さ方向における一側面（裏面９３）に設けられる。なお、スマートウォッチ９０の裏面９３とは、スマートウォッチ９０が例えば腕時計として手首に装着された場合に、人体側（手首側）に向けられる部分である。センサ部９１は、スマートウォッチ９０の裏面９３の中央において略円形状の外観を有する。
【００２５】
図３（ｂ）に示す表示部９２は、画像情報（画像ファイルや動画ファイルに対応する画像）に応じた画像光を出射する部分である。また、表示部９２は、タッチ操作可能な部分である。表示部９２は、例えばセンサ部９１による計測結果を表示することができる。表示部９２は、スマートウォッチ９０の厚さ方向における他側面（表面９４）に設けられる。なお、スマートウォッチ９０の表面９４とは、スマートウォッチ９０が例えば腕時計として手首に装着された場合に、人体（手首）と反対側に向けられ、装着した者に視認可能となる部分である。表示部９２は、スマートウォッチ９０の表面９４の略全域に亘るように設けられる。
【００２６】
このように、スマートウォッチ９０は、センサ部９１による計測結果を表示部９２に表示することができる。また、センサ部９１による脈拍の計測は、例えば表示部９２へのタッチ操作に基づいて行われる。
【００２７】
次に、図１、図２、図４−図７を用いて、拡張現実提供装置１の構成について詳細に説明する。
【００２８】
拡張現実提供装置１は、被提供者の頭部に装着された状態で使用される。図１及び図２は、拡張現実提供装置１の使用状態、すなわち拡張現実提供装置１が被提供者の頭部に装着された状態を示している。図１及び図２に示すように、拡張現実提供装置１は、手で保持することなく使用可能である。拡張現実提供装置１は、主として装着部１０、フレーム部２０、収容部３０、第一取付部４０、第二取付部５０、ミラー６０及びスモークアクリル板７０を具備する。
【００２９】
装着部１０は、拡張現実提供装置１を被提供者の頭部に装着するための部分である。装着部１０は、平面視において周方向の一部（右前部）が開放された略Ｃ字状に形成される。平面視における装着部１０の大きさは、装着される前の状態で、被提供者の頭部より小さく形成される。装着部１０は、前記開放された部分が拡がるように、弾性変形可能に形成される。装着部１０は、前記開放された部分を拡げた状態（弾性変形させた状態）で被提供者の頭部に装着される。こうして、装着部１０は復元力により被提供者の頭部に保持され、拡張現実提供装置１を被提供者の頭部に装着することができる。
【００３０】
フレーム部２０は、概ねフレーム状に形成された部分である。フレーム部２０は、装着部１０に取り付けられる。具体的には、フレーム部２０の後端部が、装着部１０の右前部における一端部（前方を向いた端部）に固定される。フレーム部２０は、主として、上下に配置されたフレーム状の部材（下側フレーム部２１０及び上側フレーム部２２０）、上側カバー２３０及び後側カバー２４０を具備する。
【００３１】
下側フレーム部２１０は、図５（ｂ）に示すように、装着部１０の右前部における一端部（前方を向いた端部）から前方へ延びた下側第一フレーム２１１と、下側第一フレーム２１１の後端部から右方へ延びた下側第二フレーム２１２と、下側第二フレーム２１２の右端部から右前方へ延びた下側第三フレーム２１３と、下側第三フレーム２１３の右前端部から左前方へ延びると共に左前端部が下側第一フレーム２１１の前端部と接続された下側第四フレーム２１４と、を有する。
【００３２】
上側フレーム部２２０は、下側フレーム部２１０と同様の形状に形成される。具体的には、上側フレーム部２２０は、図５（ａ）に示すように、下側フレーム部２１０の下側第一フレーム２１１、下側第二フレーム２１２、下側第三フレーム２１３及び下側第四フレーム２１４とそれぞれ対応する、上側第一フレーム２２１、上側第二フレーム２２２、上側第三フレーム２２３及び上側第四フレーム２２４を有する。
【００３３】
図４及び図５に示す上側カバー２３０は、上側フレーム部２２０の内側空間の一部を被覆するものである。上側カバー２３０は、略板状に形成される。上側カバー２３０は、上側第一フレーム２２１の後ろ側半分と、上側第二フレーム２２２の全部と、上側第三フレーム２２３の全部と、の間に亘るように形成される。
【００３４】
図４及び図６に示す後側カバー２４０は、下側フレーム部２１０と上側フレーム部２２０との間の後側を被覆するものである。後側カバー２４０は、略板状に形成される。後側カバー２４０は、下側第一フレーム２１１と上側第一フレーム２２１との間で上下方向に亘るように形成される（不図示）。
【００３５】
上述の如く構成されたフレーム部２０は、図１及び図２に示すように、拡張現実提供装置１が装着された被提供者の右方に配置される。また、図２及び図７に示すように、フレーム部２０の後端部は、側面視において被提供者の頭部のこめかみ部のすぐ後方に配置される。また、フレーム部２０の前端部は、側面視において被提供者の眉間の前方に配置される。また、図２に示すように、フレーム部２０の上端部（上側フレーム部２２０）は、側面視において被提供者の眼よりも上方に配置される。また、フレーム部２０の下端部（下側フレーム部２１０）は、側面視において被提供者の眼よりも下方に配置される。
【００３６】
こうして、図１及び図２に示すように、フレーム部２０は、側面視において当該フレーム部２０の内側に被提供者の眼が位置するように配置される。このようなフレーム部２０の配置において、被提供者の眼は、上側フレーム部２２０と下側フレーム部２１０との間を介して右方に露出される。また、被提供者の眼は、上側フレーム部２２０の上側第一フレーム２２１と上側第四フレーム２２４との間を介して右上方に露出される。また、被提供者の眼は、下側フレーム部２１０の下側第一フレーム２１１と下側第四フレーム２１４との間を介して右下方に露出される。すなわち、このような構成により、被提供者の視界がフレーム部２０により遮られるのを抑制することができる。
【００３７】
図４及び図５に示す収容部３０は、スマートウォッチ９０を収容するものである。収容部３０は、スマートウォッチ９０よりも若干大きな略箱状に形成される。収容部３０は、厚さ方向を左右方向へ向けて形成される。収容部３０は、フレーム部２０の左後部に形成される。収容部３０は、下側第一フレーム２１１の後ろ側半分と、上側第一フレーム２２１の後ろ側半分と、の間で上下方向に亘るように形成される。また、図２に示すように、収容部３０の前端部は、拡張現実提供装置１が装着された被提供者の眼よりも後方に位置する。
【００３８】
また、収容部３０は、後端部が開放される（不図示）。こうして、収容部３０は、スマートウォッチ９０を後方から前方（内側）に移動させ、収容することができる。また、図４（ｂ）に示すように、収容部３０の左側板には、略円形状の開口部（左側開口部３１）が形成される。収容部３０の左側開口部３１は、収容されたスマートウォッチ９０のセンサ部９１と対応する位置に形成される。こうして、収容部３０に収容されたスマートウォッチ９０のセンサ部９１は、左側開口部３１から左方へ露出される。また、収容部３０の左側開口部３１は、拡張現実提供装置１が装着された被提供者の頭部のうち、こめかみ部を向くように形成される（不図示）。こうして、収容されたスマートウォッチ９０のセンサ部９１は、左側開口部３１を介して、被提供者のこめかみ部と向き合った状態で配置される（図１、図２及び図７等参照）。
【００３９】
また、図４に示すように、収容部３０は、右側板の概ね全部が開放される。こうして、収容されたスマートウォッチ９０の表示部９２は、収容部３０の右方へ露出される。
【００４０】
また、図４に示すように、収容部３０は、前側板に所定の開口部が形成される。こうして、被提供者は、スマートウォッチ９０の前部に配置されたボタンを、前記開口部を介して操作することができる。
【００４１】
図２、図４及び図６に示す第一取付部４０は、後述するミラー６０を取り付けるものである。第一取付部４０は、略板状に形成される。第一取付部４０は、フレーム部２０の右後部に形成される。すなわち、第一取付部４０は、収容部３０の右方に形成される。図６に示すように、第一取付部４０の下端部は、フレーム部２０の下側第三フレーム２１３に接続される。また、第一取付部４０の上端部は、フレーム部２０の上側第三フレーム２２３に接続される。図２に示すように、第一取付部４０の前端部は、被提供者の眼よりも後方に位置する。
【００４２】
図２、図４−図６に示す第二取付部５０は、後述するスモークアクリル板７０を取り付けるものである。第二取付部５０は、フレーム部２０の前端部に形成される。具体的には、第二取付部５０は、フレーム部２０の下側フレーム部２１０の前端部（下側第一フレーム２１１と下側第四フレーム２１４との接続部）及び上側フレーム部２２０の前端部（上側第一フレーム２２１と上側第四フレーム２２４との接続部）により形成される。図２に示すように、第二取付部５０は、被提供者の眼よりも前方に位置する。
【００４３】
図４及び図６に示すミラー６０は、反射面を有し、スマートウォッチ９０の表示部９２からの画像光を反射するためのものである。ミラー６０は、略板状に形成される。ミラー６０は、第一取付部４０に取り付けられる。具体的には、ミラー６０は、第一取付部４０の左側面に貼付される。こうして、ミラー６０は、反射面を左前方へ向けて配置される。
【００４４】
図２、図４−図６に示すスモークアクリル板７０は、透光性及び反射性の両特性を有するものである。スモークアクリル板７０は、比較的小さい略板状に形成される。スモークアクリル板７０は、正面視で左右方向に比べて上下方向に若干長い長方形状であって、四隅がカットされたような形状に形成される。スモークアクリル板７０は、第二取付部５０に取り付けられる。具体的には、スモークアクリル板７０の下端部の左右中央が、フレーム部２０の下側フレーム部２１０の前端部に直接固定される。また、スモークアクリル板７０の上端部の左右中央が、上側フレーム部２２０の前端部に直接固定される。また、スモークアクリル板７０は、拡張現実提供装置１が装着された被提供者の眼の右前方に位置する。
【００４５】
このように、スモークアクリル板７０は、例えば当該スモークアクリル板７０の縁部を取り囲むような枠状部材を設けることなく、第二取付部５０に取り付けられる。また、スモークアクリル板７０の周囲には、比較的小さな第二取付部５０（具体的には、下側フレーム部２１０の前端部及び上側フレーム部２２０の前端部）だけが配置されている。こうして、被提供者がスモークアクリル板７０を見た場合、当該被提供者が通常見る風景に違和感なく（存在を目立たせることなく）スモークアクリル板７０を重ね合わすことができる。
【００４６】
次に、図７を用いて、拡張現実提供装置１の動作について詳細に説明する。
【００４７】
なお以下の説明では、スマートウォッチ９０は拡張現実提供装置１の収容部３０に収容されているものとする。また、拡張現実提供装置１は被提供者の頭部に装着されているものとする。
【００４８】
また、図７において実線で示す矢印は、現実空間からの光（以下では「外光」と称する）の進む方向を示している。また、図７において点線で示す矢印は、スマートウォッチ９０の表示部９２から出射される画像光の進む方向を示している。
【００４９】
スマートウォッチ９０は、例えば被提供者の表示部９２へのタッチ操作により脈拍の計測を開始する。ここで、スマートウォッチ９０のセンサ部９１は、被提供者のこめかみ部と向き合った状態で配置されている。また、頭部のこめかみ部には、比較的浅い部位に動脈が通っている。したがって、スマートウォッチ９０は、被提供者の脈拍を比較的正確に計測することができる。スマートウォッチ９０は、センサ部９１の計測結果（被提供者の脈拍）を表示部９２に表示する。すなわち、表示部９２から、表示された計測結果に応じた画像光が右方へ向けて出射される。
【００５０】
そして、表示部９２から右方へ向けて出射された画像光は、ミラー６０に反射される。こうして、ミラー６０により反射された画像光は、左前方へと進みスモークアクリル板７０へと入射される。スモークアクリル板７０へと入射された画像光は、当該スモークアクリル板７０により反射され、左後方へと進む。こうして、表示部９２から出射された画像光は、ミラー６０及びスモークアクリル板７０を介して被提供者の眼に導かれる。
【００５１】
一方、スモークアクリル板７０には、前方から外光が入射される。スモークアクリル板７０に入射された外光は、当該スモークアクリル板７０を前側から後側へと透過する。そして、スモークアクリル板７０を透過した後、外光は当該スモークアクリル板７０の後方へと出射される。このように、前方からスモークアクリル板７０に入射された外光の一部は、当該スモークアクリル板７０を介して被提供者の眼に導かれる。
【００５２】
このようにして、拡張現実提供装置１においては、スモークアクリル板７０に入射された外光に対して、表示部９２から出射された画像光を重ね合わせた拡張現実を被提供者に視認させることができる。具体的には、被提供者が見る現実空間に、当該被提供者の現在の脈拍の数値を重ねるように表示することができる。
【００５３】
以上の如く、本発明の一実施形態に係る拡張現実提供装置１においては、
スマートウォッチ９０（携帯型の情報処理端末）を用いて拡張現実を提供する拡張現実提供装置であって、
前記スマートウォッチ９０（情報処理端末）は、人体の被測定部位と向かい合うことにより健康に関する健康データを計測可能なセンサ部９１と、前記センサ部９１の計測結果に関する情報を表示可能な表示部９２と、を有し、
拡張現実が提供される被提供者の頭部に装着可能な装着部１０と、
前記装着部１０に設けられ、前記センサ部９１が前記被提供者の頭部と向かい合う状態で前記スマートウォッチ９０（情報処理端末）を収容可能な収容部３０と、
前記被提供者に視認可能な位置に配置され、前記表示部９２から出射された画像光及び現実空間からの光により、前記画像光に対応する画像と前記現実空間とを重ね合わせるスモークアクリル板７０（重畳手段）と、
を具備するものである。
【００５４】
このような構成により、健康に関する健康データ（脈拍）を拡張現実として提供することができる。
【００５５】
すなわち、スマートウォッチ９０が例えば腕時計として手首に装着された場合においてセンサ部により脈拍を計測した場合、装着した者は、現在の脈拍を確認するために、手首を上にあげて、都度スマートウォッチ９０を見る必要がある。これに対して、拡張現実提供装置１を用いた場合には、装着した者（被提供者）が見る現実空間に現在の脈拍の数値を重ねるように表示することができるため、わざわざ手を上げる動作を行う必要がない。こうして、被提供者は、スマートウォッチ９０を見るためだけの動作を行う必要がないため頻繁に現在の脈拍の数値を確認でき、自分自身の健康状態を効果的に確認することができる。
【００５６】
また、拡張現実提供装置１は手で保持する必要がなく頭部に装着できるため、被提供者は両手を自由に使用することができる。
【００５７】
また、拡張現実提供装置１においては、
前記収容部３０は、前記スマートウォッチ９０（情報処理端末）の前記センサ部９１が前記被提供者の頭部のこめかみ部と向かい合う状態で当該スマートウォッチ９０（情報処理端末）を収容するものである。
【００５８】
ここで、上述の如く頭部のこめかみ部には、比較的浅い部位に動脈が通っている。すなわち、このような構成により、被提供者の脈拍を比較的正確に計測することができる。また、被提供者が見るスモークアクリル板７０と比較的近い位置にスマートウォッチ９０を配置することができるため、拡張現実提供装置１の小型化を図ることができる。
【００５９】
また、拡張現実提供装置１においては、
前記スモークアクリル板７０（重畳手段）は、前記表示部９２から出射された画像光を反射させると共に現実空間からの光を透過させることで、前記画像光に対応する画像と前記現実空間とを重ね合わせるものであり、
前記スマートウォッチ９０（情報処理端末）の前記表示部９２から出射された画像光を前記スモークアクリル板７０（重畳手段）へと反射させるミラー６０（反射部）をさらに具備するものである。
【００６０】
このような構成により、スマートウォッチ９０の表示部９２から出射された画像光をミラー６０により任意の方向へ導くことができるため、スマートウォッチ９０の表示部９２に対するスモークアクリル板７０の配置の制限を無くすことができる。すなわち、拡張現実提供装置１の設計自由度を向上させることができる。
【００６１】
また、拡張現実提供装置１においては、
前記収容部３０及び前記ミラー６０（反射部）は、前記被提供者の眼よりも後方に配置され、
前記スモークアクリル板７０（重畳手段）は、前記被提供者の眼よりも前方に配置されるものである。
【００６２】
このような構成により、収容部３０及びミラー６０が視界に入ることなく、当該被提供者はスモークアクリル板７０を見ることができる。すなわち、被提供者の視界が、収容部３０及びミラー６０（拡張現実提供装置１を構成する部材）により遮られるのを抑制することができる。
【００６３】
また、拡張現実提供装置１においては、
前後方向における前記収容部３０及び前記ミラー６０（反射部）と前記スモークアクリル板７０（重畳手段）との間で、前記被提供者の眼が側方に露出されるものである。
【００６４】
このような構成により、被提供者がスモークアクリル板７０を見た場合、当該被提供者が通常見る風景に違和感なく（存在を目立たせることなく）スモークアクリル板７０（すなわち、健康データ）を重ね合わすことができる。
【００６５】
また、拡張現実提供装置１においては、概ねフレーム状に形成されたフレーム部２０に収容部３０（すなわち、スマートウォッチ９０）が取り付けられている。
【００６６】
このような構成により、被提供者は、スマートウォッチ９０の表示部９２をタッチ操作する場合に、複数のフレーム（下側フレーム部２１０及び上側フレーム部２２０を構成するフレーム）の間から指を挿入し、当該表示部９２を適宜タッチ操作することができる。
【００６７】
なお、本実施形態に係るスマートウォッチ９０は、本発明に係る情報処理端末の実施の一形態である。
また、本実施形態に係るスモークアクリル板７０は、本発明に係る重畳手段の実施の一形態である。
また、本実施形態に係るミラー６０は、本発明に係る反射部の実施の一形態である。
【００６８】
以上、本発明の一実施形態を説明したが、本発明は上記構成に限定されるものではなく、特許請求の範囲に記載された発明の範囲内で種々の変更が可能である。
【００６９】
例えば、本実施形態においては、携帯型の情報処理端末として腕時計型のスマートウォッチの本体部分（スマートウォッチ９０）を用いるものとしたが、これに限定されない。すなわち、携帯型の情報処理端末としては、例えばスマートフォンや、タブレット型の情報処理端末等、任意のものを採用することができる。
【００７０】
また、本実施形態においては、スマートウォッチ９０のセンサ部９１は、光学式のセンサにより構成されるものとしたが、これに限定されない。すなわち、センサ部９１としては、例えば被測定部位に直接接触させた状態で脈拍を計測する圧力センサ等、任意の方式のセンサを採用することができる。
【００７１】
また、本実施形態においては、健康に関する健康データとして脈拍を計測するものとしたが、これに限定されない。すなわち、健康に関する健康データとしては、血圧、心拍数等、被提供者から計測可能、かつ、健康（心身）の状態を示すあらゆるデータを採用することができる。
【００７２】
また、本実施形態においては、被測定部位として、頭部のこめかみ部が採用されているが、これに限定されない。すなわち、被測定部位としては、例えば耳部や首部等、任意の部位を採用することができる。
【００７３】
また、本実施形態においては、スマートウォッチ９０の表示部９２に計測結果（脈拍）を表示するものとしたが、これ（すなわち、計測結果そのもの）に限定されない。例えば、脈拍を計測する場合であれば、被提供者の年齢や性別等に基づいて目標とする脈拍や、脈拍の変化の動向等、計測結果に関する情報であれば、あらゆる情報を表示することができる。また、表示部９２には、計測結果に関する情報以外の情報、例えば現在の時刻や日付や、現在地の位置情報等を表示することも可能である。
【００７４】
また、本実施形態においては、装着部として、略Ｃ字状の部材（開放された部分を拡げた状態で頭部に装着するもの）を用いるものとしたが、これに限定されない。すなわち、装着部としては、例えば補聴器のように一方の耳部に引っ掛けるものや、メガネのように両方の耳部に引っ掛けるもの、帽子のように頭部に被るもの、ゴーグルのように弾性変形可能なベルト状の部材を頭部にはめるもの等、任意の構成を採用することができる。
【００７５】
また、本実施形態においては、重畳手段として、比較的小さい略板状の部材（スモークアクリル板）が用いられたが、これに限定されない。すなわち、重畳手段としては、左右の眼に跨るような比較的大きな略板状の部材を用いてもよい。また、既存のメガネやゴーグルにおけるレンズ部分を重畳手段としてもよい。
【００７６】
また、本実施形態においては、反射部として、１つのミラーが用いられたが、これに限定されない。すなわち、反射部としては、２つ以上のミラーを用いてもよい。また、反射部は、必ずしも用いる必要はない。
【符号の説明】
【００７７】
１      拡張現実提供装置
１０    装着部
３０    収容部
７０    スモークアクリル板
９０    スマートウォッチ
９１    センサ部
９２    表示部
【要約】
【課題】健康に関する健康データを拡張現実として提供することができる拡張現実提供装置を提供する。
【解決手段】スマートウォッチ９０は、人体の被測定部位と向かい合うことにより健康に関する健康データを計測可能なセンサ部９１とセンサ部９１の計測結果に関する情報を表示可能な表示部９２と、を有し、拡張現実が提供される被提供者の頭部に装着可能な装着部１０と、装着部１０に設けられ、センサ部９１が被提供者の頭部と向かい合う状態でスマートウォッチ９０を収容可能な収容部３０と、被提供者に視認可能な位置に配置され、表示部９２から出射された画像光及び現実空間からの光により、画像光に対応する画像と現実空間とを重ね合わせるスモークアクリル板７０と、を具備する。
【選択図】図４【図１】
0006687215.tif 000002
【図２】
0006687215.tif 000003
【図３】
0006687215.tif 000004
【図４】
0006687215.tif 000005
【図５】
0006687215.tif 000006
【図６】
0006687215.tif 000007
【図７】
0006687215.tif 000008